【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
第１のリンクを第１の許可に関連づけ、それにより前記第１の許可は前記第１のリンクに埋め込まれるステップであり、前記第１のリンクは、クラウドデータベースに記憶された文書に対応し、前記第１のリンクは、第１の複数のクライアント装置間で共有され、前記文書が前記第１の許可に従って前記クラウドデータベースに記憶されている間、前記文書と対話するために前記第１のリンクを介して前記文書にアクセスする前記第１の複数のクライアント装置のうちの任意のクライアント装置に許可を付与するように構成される、ステップと、
第２のリンクを第２の許可に関連づけ、それにより前記第２の許可は前記第２のリンクに埋め込まれるステップであり、前記第２のリンクは前記文書に対応し、前記第２のリンクは、第２の複数のクライアント装置間で共有され、前記文書が前記第２の許可に従って、前記第１の許可とは異なる仕方で前記クラウドデータベースに記憶されている間、前記文書と対話するために前記第２のリンクを介して前記文書にアクセスする前記第２の複数のクライアント装置のうちの任意のクライアント装置に許可を付与するように構成される、ステップと、
前記第１のリンクを介して前記文書にアクセスした第１のクライアント装置から受信した、前記文書へのコメントを関連づけるステップであり、前記コメントは、前記第１のクライアント装置によりチャットパネルから提供される、ステップと、
第２のクライアント装置から前記文書にアクセスする要求を受信したことに応じて、前記第２のクライアント装置が前記第１の複数のクライアント装置のうち１つ又は前記第２の複数のクライアント装置のうち１つであることに基づいて、前記コメントの可視性状態を決定するステップであり、前記可視性状態は、前記第２のクライアント装置が前記第１のリンクを使用して前記文書にアクセスする前記第１の複数のクライアント装置のうち１つであるとき前記コメントを表示することを含み、前記可視性状態は、前記第２のクライアント装置が前記第２のリンクを使用して前記文書にアクセスする前記第２の複数のクライアント装置のうち１つであるとき前記コメントを秘密にすることを含む、ステップと、
前記第２のクライアント装置に前記文書へのアクセスを提供するとき前記コメントの前記可視性状態を適用するステップと、
を含む、コンピュータにより実現される方法。
【請求項２】
前記第２のリンクは、前記第２の複数のクライアント装置のうちのクライアント装置が前記文書を閲覧することを可能にし、前記第１のリンクは、前記第１の複数のクライアント装置のうちのクライアント装置が前記文書を編集することを可能にする、請求項１に記載のコンピュータにより実現される方法。
【請求項３】
前記第１のリンクを、前記第１の許可及び前記第２の許可と異なる第３の許可に関連づけるステップであり、前記第３の許可は、前記第１の複数のクライアント装置のうちのクライアント装置が前記第１の許可及び前記第２の許可と異なる仕方で前記文書と対話することを可能にするように構成される、ステップ
をさらに含む請求項１に記載のコンピュータにより実現される方法。
【請求項４】
前記第１のリンク又は前記第２のリンクは、前記第１又は第２の複数のクライアント装置のうちのクライアント装置が所定の時間ウィンドウの間に前記文書と対話することを可能にする、請求項１に記載のコンピュータにより実現される方法。
【請求項５】
前記第１のクライアント装置に表示された前記文書の部分を識別するステップと、
前記コメントを、前記第１のクライアント装置に表示された前記文書の前記部分に関連づけるステップと、
をさらに含む請求項１に記載のコンピュータにより実現される方法。
【請求項６】
前記文書は１つ以上のスライドを含むプレゼンテーションであり、前記文書の前記部分はスライドである、請求項５に記載のコンピュータにより実現される方法。
【請求項７】
前記第２のリンクを、前記第２の複数のクライアント装置のうちの第３のクライアント装置に送信するステップと、
前記第３のクライアント装置が前記第２のリンクを受信した後に前記第２の許可を変えて、前記第３のクライアント装置に利用可能な文書インタラクションを変えるステップと、
をさらに含む請求項１に記載のコンピュータにより実現される方法。
【請求項８】
メモリと、
前記メモリに結合され、
第１のリンクを第１の許可に関連づけ、それにより前記第１の許可は前記第１のリンクに埋め込まれることであって、前記第１のリンクは、クラウドデータベースに記憶された文書に対応し、前記第１のリンクは、第１の複数のクライアント装置間で共有され、前記文書が前記第１の許可に従って前記クラウドデータベースに記憶されている間、前記文書と対話するために前記第１のリンクを介して前記文書にアクセスする前記第１の複数のクライアント装置のうちの任意のクライアント装置に許可を付与するように構成され、
第２のリンクを第２の許可に関連づけ、それにより前記第２の許可は前記第２のリンクに埋め込まれることであって、前記第２のリンクは前記文書に対応し、前記第２のリンクは、第２の複数のクライアント装置間で共有され、前記文書が前記第２の許可に従って、前記第１の許可とは異なる仕方で前記クラウドデータベースに記憶されている間、前記文書と対話するために前記第２のリンクを介して前記文書にアクセスする前記第２の複数のクライアント装置のうちの任意のクライアント装置に許可を付与するように構成され、
前記第１のリンクを介して前記文書にアクセスした第１のクライアント装置から受信した、前記文書へのコメントを関連づけることであって、前記コメントは、前記第１のクライアント装置によりチャットパネルから提供され、
第２のクライアント装置から前記文書にアクセスする要求を受信したことに応じて、前記第２のクライアント装置が前記第１の複数のクライアント装置のうち１つ又は前記第２の複数のクライアント装置のうち１つであることに基づいて、前記コメントの可視性状態を決定することであって、前記可視性状態は、前記第２のクライアント装置が前記第１のリンクを使用して前記文書にアクセスする前記第１の複数のクライアント装置のうち１つであるとき前記コメントを表示することを含み、前記可視性状態は、前記第２のクライアント装置が前記第２のリンクを使用して前記文書にアクセスする前記第２の複数のクライアント装置のうち１つであるとき前記コメントを秘密にすることを含み、
前記第２のクライアント装置に前記文書へのアクセスを提供するとき前記コメントの前記可視性状態を適用する
ように構成された１つ以上のプロセッサと、
を含むシステム。
【請求項９】
前記第２のリンクは、前記第２の複数のクライアント装置のうちのクライアント装置が前記文書を閲覧することを可能にし、前記第１のリンクは、前記第１の複数のクライアント装置のうちのクライアント装置が前記文書を編集することを可能にする、請求項８に記載のシステム。
【請求項１０】
前記１つ以上のプロセッサは、
前記第１のリンクを、前記第１の許可及び前記第２の許可と異なる第３の許可に関連づけることであって、前記第３の許可は、前記第１の複数のクライアント装置のうちのクライアント装置が前記第１の許可及び前記第２の許可と異なる仕方で前記文書と対話することを可能にするように構成される
ようにさらに構成される、請求項８に記載のシステム。
【請求項１１】
前記第１のリンク又は前記第２のリンクは、前記第１又は第２の複数のクライアント装置のうちのクライアント装置が所定の時間ウィンドウの間に前記文書と対話することを可能にする、請求項８に記載のシステム。
【請求項１２】
前記１つ以上のプロセッサは、
前記第１のクライアント装置に表示された前記文書の部分を識別し、
前記コメントを、前記第１のクライアント装置に表示された前記文書の前記部分に関連づける
ようにさらに構成される、請求項８に記載のシステム。
【請求項１３】
前記文書は１つ以上のスライドを含むプレゼンテーションであり、前記文書の前記部分はスライドである、請求項１２に記載のシステム。
【請求項１４】
命令を記憶させた非一時的コンピュータ読取可能装置であって、前記命令は、少なくとも１つのコンピューティング装置により実行されたときに、前記少なくとも１つのコンピューティング装置に、
第１のリンクを第１の許可に関連づけ、それにより前記第１の許可は前記第１のリンクに埋め込まれることであり、前記第１のリンクは、クラウドデータベースに記憶された文書に対応し、前記第１のリンクは、第１の複数のクライアント装置間で共有され、前記文書が前記第１の許可に従って前記クラウドデータベースに記憶されている間、前記文書と対話するために前記第１のリンクを介して前記文書にアクセスする前記第１の複数のクライアント装置のうちの任意のクライアント装置に許可を付与するように構成される、ことと、
第２のリンクを第２の許可に関連づけ、それにより前記第２の許可は前記第２のリンクに埋め込まれることであり、前記第２のリンクは前記文書に対応し、前記第２のリンクは、第２の複数のクライアント装置間で共有され、前記文書が前記第２の許可に従って、前記第１の許可とは異なる仕方で前記クラウドデータベースに記憶されている間、前記文書と対話するために前記第２のリンクを介して前記文書にアクセスする前記第２の複数のクライアント装置のうちの任意のクライアント装置に許可を付与するように構成される、ことと、
前記第１のリンクを介して前記文書にアクセスした第１のクライアント装置から受信した、前記文書へのコメントを関連づけることであり、前記コメントは、前記第１のクライアント装置によりチャットパネルから提供される、ことと、
第２のクライアント装置から前記文書にアクセスする要求を受信したことに応じて、前記第２のクライアント装置が前記第１の複数のクライアント装置のうち１つ又は前記第２の複数のクライアント装置のうち１つであることに基づいて、前記コメントの可視性状態を決定することであり、前記可視性状態は、前記第２のクライアント装置が前記第１のリンクを使用して前記文書にアクセスする前記第１の複数のクライアント装置のうち１つであるとき前記コメントを表示することを含み、前記可視性状態は、前記第２のクライアント装置が前記第２のリンクを使用して前記文書にアクセスする前記第２の複数のクライアント装置のうち１つであるとき前記コメントを秘密にすることを含む、ことと、
前記第２のクライアント装置に前記文書へのアクセスを提供するとき前記コメントの前記可視性状態を適用することと、
を含む動作を実行させる、非一時的コンピュータ読取可能装置。
【請求項１５】
前記動作は、
前記第１のクライアント装置に表示された前記文書の部分を識別することと、
前記コメントを、前記第１のクライアント装置に表示された前記文書の前記部分に関連づけることと、
をさらに含む、請求項１４に記載の非一時的コンピュータ読取可能装置。
【請求項１６】
前記文書は１つ以上のスライドを含むプレゼンテーションであり、前記文書の前記部分はスライドである、請求項１５に記載の非一時的コンピュータ読取可能装置。
【手続補正２】
【補正対象書類名】明細書
【補正対象項目名】００８９
【補正方法】変更
【補正の内容】
【００８９】
本開示の幅及び範囲は、上記で説明された例示的な実施例のいずれによっても限定されるべきでなく、別記の特許請求の範囲及びその均等物に従ってのみ定義されるべきである。
上記の実施形態につき以下の付記を残しておく。
［付記１］
第１のリンクを第１の許可に関連づけるステップであり、前記第１のリンクは文書に対応し、前記第１の許可は、クライアント装置が前記文書と対話することを可能にするように構成される、ステップと、
第２のリンクを第２の許可に関連づけるステップであり、前記第２のリンクは前記文書に対応し、前記第２の許可は、クライアント装置が前記第１の許可とは異なる仕方で前記文書と対話することを可能にするように構成される、ステップと、
を含む、コンピュータにより実現される方法。
［付記２］
前記第１の許可は、クライアント装置が前記文書を閲覧することを可能にし、前記第２の許可は、クライアント装置が前記文書を編集することを可能にする、付記１に記載のコンピュータにより実現される方法。
［付記３］
前記第１のリンクを、前記第１の許可及び前記第２の許可と異なる第３の許可に関連づけるステップであり、前記第３の許可は、クライアント装置が前記第１の許可及び前記第２の許可と異なる仕方で前記文書と対話することを可能にするように構成される、ステップ
をさらに含む付記１に記載のコンピュータにより実現される方法。
［付記４］
第１のクライアント装置から、前記第１のリンクを介して文書アクセス要求を受信するステップと、
前記第１のクライアント装置から文書コメントを受信するステップと、
第２のクライアント装置から、前記第１のリンクを介して文書アクセス要求を受信するステップと、
前記第２のクライアント装置から前記文書アクセス要求を受信したことに応答して、前記文書コメントを前記第２のクライアント装置に送信するステップと、
をさらに含む付記１に記載のコンピュータにより実現される方法。
［付記５］
第３のクライアント装置から、前記第２のリンクを介して文書アクセス要求を受信するステップと、
前記第２のリンクを介して前記第３のクライアント装置から前記文書アクセス要求を受信したことに応答して、前記文書コメントを前記第３のクライアント装置に秘密にするステップと、
をさらに含む付記４に記載のコンピュータにより実現される方法。
［付記６］
前記第１の許可又は前記第２の許可は、クライアント装置が所定の時間ウィンドウの間に前記文書と対話することを可能にする、付記１に記載のコンピュータにより実現される方法。
［付記７］
第１のクライアント装置から、前記第１のリンクを介して文書アクセス要求を受信するステップと、
前記第１のクライアント装置から、文書コメントを受信するステップと、
前記第１のクライアント装置に表示された前記文書の部分を識別するステップと、
前記文書コメントを、前記第１のクライアント装置に表示された前記文書の前記部分に関連づけるステップと、
をさらに含む付記１に記載のコンピュータにより実現される方法。
［付記８］
前記文書は１つ以上のスライドを含むプレゼンテーションであり、前記文書の前記部分はスライドである、付記７に記載のコンピュータにより実現される方法。
［付記９］
メモリと、
前記メモリに結合され、
第１のリンクを第１の許可に関連づけることであって、前記第１のリンクは文書に対応し、前記第１の許可は、クライアント装置が前記文書と対話することを可能にするように構成され、
第２のリンクを第２の許可に関連づけることであって、前記第２のリンクは前記文書に対応し、前記第２の許可は、クライアント装置が前記第１の許可と異なる仕方で前記文書と対話することを可能にするように構成される、
ように構成された１つ以上のプロセッサと、
を含むシステム。
［付記１０］
前記第１の許可は、クライアント装置が前記文書を閲覧することを可能にし、前記第２の許可は、クライアント装置が前記文書を編集することを可能にする、付記９に記載のシステム。
［付記１１］
前記１つ以上のプロセッサは、
前記第１のリンクを、前記第１の許可及び前記第２の許可と異なる第３の許可に関連づけることであって、前記第３の許可は、クライアント装置が前記第１の許可及び前記第２の許可と異なる仕方で前記文書と対話することを可能にするように構成される
ようにさらに構成される、付記９に記載のシステム。
［付記１２］
前記１つ以上のプロセッサは、
第１のクライアント装置から、前記第１のリンクを介して文書アクセス要求を受信し、
前記第１のクライアント装置から文書コメントを受信し、
第２のクライアント装置から、前記第１のリンクを介して文書アクセス要求を受信し、
前記第２のクライアント装置から前記文書アクセス要求を受信したことに応答して、前記文書コメントを前記第２のクライアント装置に送信する
ようにさらに構成される、付記９に記載のシステム。
［付記１３］
前記１つ以上のプロセッサは、
第３のクライアント装置から、前記第２のリンクを介して文書アクセス要求を受信し、
前記第２のリンクを介して前記第３のクライアント装置から前記文書アクセス要求を受信したことに応答して、前記文書コメントを前記第３のクライアント装置に秘密にする
ようにさらに構成される、付記１２に記載のシステム。
［付記１４］
前記第１の許可又は前記第２の許可は、クライアント装置が所定の時間ウィンドウの間に前記文書と対話することを可能にする、付記９に記載のシステム。
［付記１５］
前記１つ以上のプロセッサは、
第１のクライアント装置から、前記第１のリンクを介して文書アクセス要求を受信し、
前記第１のクライアント装置から、文書コメントを受信し、
前記第１のクライアント装置に表示された前記文書の部分を識別し、
前記文書コメントを、前記第１のクライアント装置に表示された前記文書の前記部分に関連づける
ようにさらに構成される、付記９に記載のシステム。
［付記１６］
前記文書は１つ以上のスライドを含むプレゼンテーションであり、前記文書の前記部分はスライドである、付記１５に記載のシステム。
［付記１７］
命令を記憶させたコンピュータ読取可能装置であって、前記命令は、少なくとも１つのコンピューティング装置により実行されたときに、前記少なくとも１つのコンピューティング装置に、
第１のリンクを第１の許可に関連づけるステップであり、前記第１のリンクは文書に対応し、前記第１の許可は、クライアント装置が前記文書と対話することを可能にするように構成される、ステップと、
第２のリンクを第２の許可に関連づけるステップであり、前記第２のリンクは前記文書に対応し、前記第２の許可は、クライアント装置が前記第１の許可とは異なる仕方で前記文書と対話することを可能にするように構成される、ステップと、
を含む動作を実行させる、コンピュータ読取可能装置。
［付記１８］
前記動作は、
第１のクライアント装置から、前記第１のリンクを介して文書アクセス要求を受信するステップと、
前記第１のクライアント装置から文書コメントを受信するステップと、
第２のクライアント装置から、前記第１のリンクを介して文書アクセス要求を受信するステップと、
前記第２のクライアント装置から前記文書アクセス要求を受信したことに応答して、前記文書コメントを前記第２のクライアント装置に送信するステップと、
をさらに含む、付記１７に記載のコンピュータ読取可能装置。
［付記１９］
前記動作は、
第１のクライアント装置から、前記第１のリンクを介して文書アクセス要求を受信するステップと、
前記第１のクライアント装置から、文書コメントを受信するステップと、
前記第１のクライアント装置に表示された前記文書の部分を識別するステップと、
前記文書コメントを、前記第１のクライアント装置に表示された前記文書の前記部分に関連づけるステップと、
をさらに含む、付記１７に記載のコンピュータ読取可能装置。
［付記２０］
前記文書は１つ以上のスライドを含むプレゼンテーションであり、前記文書の前記部分はスライドである、付記１９に記載のコンピュータ読取可能装置。